(57)【要約】【課題】従来の一定の時間間隔で画像を切り換えるスライドショー表示では、ユーザがじっくりと見たい画像でもユーザが興味のない画像であっても、すべての画像は同じ時間表示されることとなり、ユーザの意図とは無関係に画像が切り換わってしまうという不都合があった。また、ユーザの操作によって次の画像に切り換えるスライドショー表示方法であっても、ユーザがその都度操作をしなければならず、不便であった。【解決手段】スライドショーを閲覧している人の目線を検出し、検出された目線がスライドショーの静止画を注視しているかいないかを所定条件に基づいて判断し、判断結果に応じてスライドショー実行時に静止画を切り換えるスライドショー装置を提案する。【選択図】図１
2008219286.tif 000002
【特許請求の範囲】
【請求項１】
スライドショー実行時に静止画を切り換える切換部と、
スライドショーを閲覧している人の目線を検出する検出部と、
検出された目線がスライドショーの静止画を注視していることを示す所定条件又は／及び、スライドショーの静止画を注視していないことを示す所定条件を保持する条件保持部と、
検出された目線が保持されている条件を満たしているか判断する判断部と、
判断部での判断結果に応じて切換部を制御する切換制御部と、
を有するスライドショー装置。
【請求項２】
条件保持部は、
所定条件として注視時間閾値を保持する注視時間閾値保持手段と、
保持されている注視時間閾値を変更するための入力を受付ける入力手段と、
受付けた入力に応じて注視時間閾値を変更する変更手段と、
を有する請求項１に記載のスライドショー装置。
【請求項３】
切換制御部は、
判断部での判断結果が一旦離脱した目線が復帰したことを示す場合には目線離脱により注視が途切れた期間内に表示済みの静止画を再度表示する制御をする再表示制御手段を有する請求項１又は２に記載のスライドショー装置。
【請求項４】
スライドショー実行時に静止画を切り換える切換ステップと、
スライドショーを閲覧している人の目線を検出する検出ステップと、
検出ステップにて検出された目線がスライドショーの静止画を注視していることを示す所定条件又は、スライドショーの静止画を注視していないことを示す所定条件を満たしているか判断する判断ステップと、
判断ステップでの判断結果に応じて切換ステップを制御する切換制御ステップと、
を有するスライドショー表示方法。
【発明の詳細な説明】
【技術分野】
【０００１】
画像のスライドショー実行時に閲覧者の目線を検出し、検出結果に応じて画像の切り換えを実行するスライドショー装置に関する。
【背景技術】
【０００２】
従来、画像をユーザに表示する方法の一つとして、一定の時間間隔で画像を切り換えて順次表示していくスライドショーによる表示方法がある（例えば、特許文献１）。また、画像を表示中にユーザの操作によって次の画像に切り換えることが可能なスライドショー表示機器もある。
【特許文献１】特開２００３−２０９８０９公報
【発明の開示】
【発明が解決しようとする課題】
【０００３】
しかしながら、一定の時間間隔で画像を切り換えるスライドショー表示では、ユーザがじっくりと見たい画像でもユーザが興味のない画像であっても、すべての画像は同じ時間表示されることとなり、ユーザの意図とは無関係に画像が切り換わってしまうという不都合があった。また、ユーザの操作によって次の画像に切り換える方法であっても、ユーザがその都度操作をしなければならず、不便であった。
【課題を解決するための手段】
【０００４】
そこで本発明においては、スライドショーを閲覧している人の目線を検出し、検出された目線がスライドショーの静止画を注視しているかいないかを所定条件に基づいて判断し、判断結果に応じてスライドショー実行時に静止画を切り換えるスライドショー装置を提案する。また、所定条件として注視時間閾値を保持し、当該注視時間閾値は変更することができるようになっていてもよい。また、一旦離脱した目線が復帰した場合には、目線離脱により注視が途切れた期間内に表示済みの静止画を再度表示するようになっていてもよい。
【０００５】
図１は、本発明に係るスライドショー装置の概念図を示す。まず、スライドショーを閲覧している人（閲覧者）（０１０２）がスライドショーによってディスプレイに表示されている静止画（０１０１ａ）を注視している（場面（ａ））。その後、閲覧者（０１０２）が表示されている静止画（０１０１ａ）を見終わると、大抵は閲覧者の目線がディスプレイ外（０１０３ａ、０１０３ｂ）などの静止画以外の領域に外れることとなる（場面（ｂ））。閲覧者の目線が静止画以外の領域に外れてある程度の時間が経過すると、閲覧者は静止画を見終わったものとみなして自動的に次の静止画（０１０１ｂ）に切り換えて表示する（場面（ｃ））、という具合である。つまり、閲覧者にとっては静止画を切り換える等の操作が不要となり、また静止画を注視している間は静止画が切り換わってしまうことがないため、使い勝手のよいスライドショー表示を提供することができる。
【発明の効果】
【０００６】
本発明のスライドショー装置によれば、閲覧者の目線を検出し、検出した目線が静止画を注視しているか否かを判断して静止画を切り換えることができるため、閲覧者が静止画を切り換えるための操作等を行なわずとも閲覧者の目線の動きに合わせて、すなわち閲覧者の静止画への注目度に合わせて、自動的に静止画を切り換えることができる。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、４などについて説明する。実施形態２は、主に請求項２などについて説明する。実施形態３は、主に請求項３などについて説明する。
（実施形態１）
【０００８】
（実施形態１：概要）本実施形態は、スライドショーを閲覧している人の目線を検出し、検出された目線がスライドショーの静止画を注視しているか否かを所定条件に基づいて判断し、判断結果に応じてスライドショー実行時に静止画を切り換えるスライドショー装置について説明する。
【０００９】
（実施形態１：構成）本実施形態に係るスライドショー装置の機能ブロック図を図２に例示する。スライドショー装置（０２００）は、「切換部」（０２０１）と、「検出部」（０２０２）と、「条件保持部」（０２０３）と、「判断部」（０２０４）と、「切換制御部」（０２０５）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェイス、周辺装置などで構成されるハードウェアと、それらハードウェア上で実行可能なソフトウェアがある。ソフトウェアとしては、メモリ上に展開されたプログラムを順次実行することで、メモリ上のデータや、インターフェイスを介して入力されるデータの加工、保存、出力などにより各部の機能が実現される。（明細書の全体を通じて同様である。）
【００１１】
「切換部」（０２０１）は、スライドショー実行時に静止画を切り換える機能を有する。ここで「スライドショー」とは、所定の複数の静止画を順次切り換えて表示する機能を指す。なお、切換部は後述する切換制御部（０２０５）に制御されることによって静止画を切り換えて表示する。具体的には、切換部は、例えばハードディスクや半導体メモリ等の記憶装置に保存されている静止画を、ＣＰＵ（中央処理装置）からの切り換え命令に応じて順次必要な静止画をＶｉｄｅｏ  ＲＡＭ（ＶＲＡＭ）に読み込みディスプレイ等の表示装置へ表示する処理を行なう。
【００１２】
「検出部」（０２０２）は、スライドショーを閲覧している人の目線を検出する機能を有する。目線検出の技術に関しては一般的によく知られている技術であるのでここでは詳述しないが、目線検出方法の一例を図３に示す。例えば、ディスプレイ横に設置されているカメラ（０３０２）によって閲覧者（０３０３）の黒目（瞳孔）の動きを追うことで閲覧者（０３０３）がどこを見ているかを割り出すことができる。例えば、（ａ）のようにディスプレイに表示されている静止画（０３０１）を閲覧者（０３０３）が注視すると閲覧者（０３０３）の黒目は静止画の方へ向くことになり、また（ｂ）のように閲覧者（０３０３）が静止画（０３０１）から目をそらすと、黒目は静止画以外の場所（０３０４）を向くこととなる。このような閲覧者の黒目の動きをカメラ（０３０２）で撮影することによって、カメラ（０３０２）と閲覧者（０３０３）の黒目と静止画（０３０１）の位置関係から、閲覧者（０３０３）がどこを見ているかを判定することができる。ただし、この方法はカメラ（０３０２）や閲覧者（０３０３）の顔（黒目）の位置を固定にしておかなければならない場合があるため、閲覧者に大きな負担がかかる場合がある。閲覧者にとってもより使い易い目線検出方法として、ヘッドマウントディスプレイを用いた目線検出の技術なども存在する。本件発明においては、目線検出の技術についてはいずれの方法を利用してもよい。
【００１３】
「条件保持部」（０２０３）は、検出された目線がスライドショーの静止画を注視していることを示す所定条件又は／及び、スライドショーの静止画を注視していないことを示す所定条件を保持する。図４は、所定条件の具体例を示す。図４においては目線が静止画を注視していないことを示す所定条件を示しており、一の静止画を表示中に検出された目線が静止画の表示領域外に移動したことが一分間に３回検出されたことをもって目線が静止画を注視していないとみなす、という意味である。つまり、目線が静止画の表示領域外に３回移動した場合には閲覧者は静止画を注視していない、つまり静止画を見終わったものと判断して、次の静止画を表示するように設定されている。このように、所定条件は閲覧者が静止画を見終わった場合には静止画から目線をそらすであろうことなどを前提として設定されることが想定される。また、目線が静止画を注視していることを示す所定条件としては、例えば目線が静止画の表示領域内に３秒以上留まっている場合、静止画の中央付近の一定の領域内に目線が留まっている場合、など様々な条件が想定できる。また、条件保持部は、具体的には図４のような所定条件をハードディスクや半導体メモリ等の記憶装置に記憶して保持する。
【００１４】
「判断部」（０２０４）は、検出された目線が保持されている条件を満たしているか判断する機能を有する。「検出された目線」とは、検出部（０２０２）にて検出された目線であり、「保持されている条件」とは、条件保持部（０２０３）にて保持されている所定条件を指す。「検出された目線が保持されている条件を満たしているか判断する」とは、単に所定条件に合致するか否かを判断することのみを意味する趣旨ではなく、条件保持部に保持されている所定条件に基づいて目線の状態を判断することを意味する。例えば、条件保持部に複数の条件が設定されていた場合、それら複数の条件の組合せによって目線の状態を判断する場合なども含まれる。具体的には、後述するように静止画を注視していないことを示す条件と静止画を注視していることを示す条件を満たしたことをもって一旦目線が離脱し、その後目線が復帰した（再び静止画を注視している）と判断するような場合である。また、閲覧者が一人ではなく複数人である場合には、全員の目線が保持されている条件を満たしているか判断するようになっていてもよい。すなわち、全員の目線が静止画を注視しているか注視していないかによって切換部（０２０１）にて静止画を切り換えるか否か決めるようになっていてもよいし、多数決によって静止画を切り換えるか否かを決めるようになっていてもよい。なお、判断部の処理としてより具体的には、図３に例示したようなカメラによって検出される黒目の情報と、ハードディスク等の記憶装置に保持されている所定条件を比較して、黒目の状態が所定条件を満たしているか否かを判断する。
【００１５】
「切換制御部」（０２０５）は、判断部での判断結果に応じて切換部を制御する機能を有する。切換制御部による主な制御としては、判断部（０２０４）での判断結果によって目線が静止画を注視していると判断される場合には静止画を切り換えずに表示し続けるよう制御し、目線が静止画を注視していないと判断される場合には次の静止画に切り換えて表示するための制御をすることが想定される。
【００１６】
図５は、本実施形態に係るスライドショー装置のハードウェア上における処理の具体例を示す。ハードディスクや半導体メモリ等の所定の記憶装置には、スライドショー表示すべき一以上の静止画（０５０１）と、目線検出のためにカメラからの目線情報などを解析等するための目線検出プログラム（目線検出Ｐ）（０５０２）と、目線が静止画を注視していること又は注視していないことを示す所定条件（０５０３）が記録されているとする。まず、目線検出プログラム（０５０２）と所定条件（０５０３）がメインメモリに展開される（０５０４）。また、ディスプレイ（目線検出用のカメラ）から目線検出の情報が出力され（０５０５）、目線検出プログラムによって所定条件と比較されて比較結果がメインメモリに格納される（０５０６）。ここでの比較結果が、切り換えるべき旨を示すものであった場合には（例えば、検出された目線が静止画を注視していないことを示す所定条件を満たす場合）、ＣＰＵにて切換命令（０５０７）が生成され記録装置からＶＲＡＭに次に表示すべき静止画が読み込まれ（０５０８）、ディスプレイへ表示される。なお、図５を用いて説明したハードウェア上の処理はあくまで処理の概要を説明するものである。
【００１７】
（実施形態１：処理の流れ）図６は、本実施形態に係るスライドショー装置における処理の流れを示すフロー図を例示する。
【００１８】
最初に、静止画をスライドショーによって表示する（Ｓ０６０１）。次に、スライドショーを閲覧している人の目線を検出する（Ｓ０６０２）。次に、静止画を注視しているかの判断を行なう（Ｓ０６０３）。この判断は、検出された目線が条件保持部に保持されている条件を満たしているか否かによって行なわれる。ここでの判断結果が静止画を注視しているとの判断であった場合には、ステップＳ０６０２に戻り、目線の検出を繰り返す。ここでの判断結果が静止画を注視していないとの判断であった場合には、静止画の切り換えを行なう（Ｓ０６０４）。最後に、処理を終了するか否かを判断し（Ｓ０６０５）、終了しない場合にはステップＳ０６０１に戻る。
【００１９】
なお、図６のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２０】
（実施形態１：効果）本実施形態に係るスライドショー装置によれば、閲覧者の目線を検出することにより、閲覧者が静止画を注視していると判断される場合にはその静止画を表示し続け、閲覧者が静止画を注視していないと判断される場合には次の静止画に切り換えて表示する等の制御を行なうことができる。これにより、閲覧者にとっては特別な操作をせずとも自動的に順次静止画がスライドショー表示されることとなり、使い勝手のよいスライドショー装置を提供することができる。
（実施形態２）
【００２１】
（実施形態２：概要）本実施形態は、所定条件として注視時間閾値を保持し、当該注視時間閾値は変更することが可能なスライドショー装置について説明する。
【００２２】
（実施形態２：構成）本実施形態に係るスライドショー装置の機能ブロック図を図７に例示する。スライドショー装置（０７００）は、「切換部」（０７０１）と、「検出部」（０７０２）と、「条件保持部」（０７０３）と、「判断部」（０７０４）と、「切換制御部」（０７０５）と、を有する。また、条件保持部（０７０３）は、「注視時間閾値保持手段」（０７０６）と、「入力手段」（０７０７）と、「変更手段」（０７０８）と、を有する。「注視時間閾値保持手段」（０７０６）と「入力手段」（０７０７）と「変更手段」（０７０８）以外の構成については、前述した通りであるのでここでの説明は省略する。
【００２３】
「注視時間閾値保持手段」（０７０６）は、所定条件として注視時間閾値を保持する。「注視時間閾値」とは、検出された目線が静止画を注視していることを示すために使用される時間情報であってもよいが、検出された目線が静止画を注視していないことを示すために使用される時間情報であってもよい。図８は、注視時間閾値保持手段にて保持されている注視時間閾値の具体例である。図８においては目線が静止画を注視していないことを示す所定条件を示しており、一の静止画を表示中に目線が静止画の表示領域外に移動して３秒が経過した場合には目線が静止画を注視していないとみなす、という意味である。また、注視時間閾値保持手段は、具体的には図８のような所定条件をハードディスクや半導体メモリ等の記憶装置に記憶して保持する。
【００２４】
「入力手段」（０７０７）は、保持されている注視時間閾値を変更するための入力を受付ける機能を有する。「入力を受付ける」とは、閲覧者等により外部から入力される場合以外にも、自動的に注視時間閾値を変更するために変更する閾値が内部的に取得される場合も含まれる。自動的に注視時間閾値を変更するとは、例えば一度スライドショー表示した静止画を再度スライドショー表示する場合には注視時間を短くする場合などが考えられる。入力手段は、具体的には例えば、キーボードやタッチパネル等のユーザインタフェースからの入力信号を取得してメインメモリへ格納する処理を行なう。
【００２５】
「変更手段」（０７０８）は、受付けた入力に応じて注視時間閾値を変更する機能を有する。「受付けた入力」とは、入力手段（０７０７）にて受付けられた入力を指す。すなわち、変更手段は入力手段によってメインメモリに格納された閾値を読み出し、ハードディスク等の記憶装置に記憶されている注視時間閾値を変更する処理を実行する。
【００２６】
図９は、注視時間閾値が変更される場合のハードウェア上における処理の具体例を示す。ハードディスク等の記憶装置には、図８に例示したような注視時間閾値（０９０１）と、注視時間閾値を変更するための閾値変更プログラム（閾値変更Ｐ）（０９０２）が記憶されているとする。また、閾値変更プログラム（０９０２）は予めメインメモリに展開される（０９０３）。ここで、キーボード等の入力装置から変更する閾値（０９０４）が閲覧者等によって入力されたとする。入力された閾値（０９０４）はメインメモリに格納され（０９０５）、メインメモリに展開されている閾値変更プログラム（０９０３）によって、記憶装置に記憶されている注視時間閾値（０９０１）が変更される（０９０６）。
【００２７】
（実施形態２：処理の流れ）図１０は、本実施形態に係るスライドショー装置において注視時間閾値が変更される際の処理の流れを示すフロー図を例示する。
【００２８】
最初に、注視時間閾値の入力を受付ける（Ｓ１００１）。次に、受付けられた入力に応じて注視時間閾値が変更される（Ｓ１００２）。
【００２９】
また、図１１は、本実施形態に係るスライドショー装置における処理の流れを示すフロー図を例示する。
【００３０】
最初に、静止画をスライドショーによって表示する（Ｓ１１０１）。次に、スライドショーを閲覧している人の目線を検出する（Ｓ１１０２）。次に、検出された目線によって、目線が静止画に当たっているかを判断する（Ｓ１１０３）。目線が当たっているとの判断である場合にはステップＳ１１０２に戻る。目線が当たっていないとの判断である場合には、目線が外れている時間が注視時間閾値を越えたか判断する（Ｓ１１０４）。注視時間閾値を越えていないとの判断である場合にはステップＳ１１０２に戻る。注視時間閾値を越えたとの判断である場合には、静止画の切り換えを行なう。（Ｓ１１０５）。最後に、処理を終了するか否かを判断し（Ｓ１１０６）、終了しない場合にはステップＳ１１０１に戻る。
【００３１】
（実施形態２：効果）本実施形態に係るスライドショー装置によれば、注視時間閾値を変更することが可能であるので、閲覧者にとってより適切なタイミングにて静止画の切り換えを行なうことができる。
（実施形態３）
【００３２】
（実施形態３：概要）本実施形態は、一旦離脱した目線が復帰した場合には、目線離脱により注視が途切れた期間内に表示済みの静止画を再度表示することを特徴とするスライドショー装置について説明する。
【００３３】
（実施形態３：構成）本実施形態に係るスライドショー装置の機能ブロック図を図１２に例示する。スライドショー装置（１２００）は、「切換部」（１２０１）と、「検出部」（１２０２）と、「条件保持部」（１２０３）と、「判断部」（１２０４）と、「切換制御部」（１２０５）と、を有する。また、切換制御部（１２０５）は、「再表示制御手段」（１２０９）を有する。「再表示制御手段」（１２０９）以外の構成については、前述した通りであるのでここでの説明は省略する。
【００３４】
「再表示制御手段」（１２０９）は、判断部での判断結果が一旦離脱した目線が復帰したことを示す場合には目線離脱により注視が途切れた期間内に表示済みの静止画を再度表示する制御をする機能を有する。「目線離脱により注視が途切れた期間内に表示済みの静止画を再度表示する」とは、例えば、目線が離脱した後、すなわち閲覧者の目線が静止画から外れた後に、複数の静止画が順次スライドショー表示されていた場合にはそれら全ての静止画を再表示する場合等が該当し、目線が離脱したことによってスライドショーが停止する場合には、その停止した際に表示されている静止画から順次、再表示する場合等が該当する。また、注視が途切れた期間内に表示済みの静止画を再度表示するタイミングは、一旦離脱した目線が復帰してもそのまま全ての静止画を一通りスライドショー表示し終わった後に、注視が途切れた期間内に表示済みの静止画を再度表示するようになっていてもよいし、一旦離脱した目線が復帰した際にはすぐに注視が途切れた最初の静止画に戻ってそこからスライドショー表示を開始するようになっていてもよい。図１３は、再表示制御手段によって静止画を再表示する場合の具体例を示す。スライドショーの閲覧者（１３０１）はしばらく静止画（１３０２ａ）を見ていたが（場面（ａ））、その後、スライドショー表示が次の静止画１３０２ｂに切り換わった後、居眠りしたり席を外したりすることによって目線が静止画（１３０２ｂ）以外の領域（１３０３）に向いたとする（場面（ｂ））。これにより、目線が静止画を注視していないと判断され、目線が外れたまま、他の複数の静止画（１３０２ｃ）がスライドショー表示されていったとする（場面（ｃ））。その後、静止画１３０２ｎが表示された際に閲覧者（１３０１）が再度、静止画を注視し、これにより目線が復帰したと判断された場合（場面（ｄ））には、目線が離脱した際（場面（ｂ））に表示されていた静止画１３０２ｂに切り換えて順次、表示してく（場面（ｅ））。
【００３５】
また、再表示制御手段においてこのような処理を実現するために、条件保持部では図１４のような所定条件を保持していることが想定される。条件（ａ）は目線が離脱したことを判断するための条件であり、条件（ｂ）は目線が復帰したことを判断するための条件である。つまり、条件（ａ）が成立した後に条件（ｂ）が成立した場合に、一旦離脱した目線が復帰したと判断することができる。
【００３６】
図１５は、再表示制御手段のハードウェア上における処理の具体例を示す。ハードディスクや半導体メモリ等の所定の記憶装置には、スライドショー表示すべき一以上の静止画（１５０１）と、目線検出のためにカメラからの目線情報などを解析等するための目線検出プログラム（目線検出Ｐ）（１５０２）と、目線が静止画を注視していること又は注視していないことを示す所定条件（１５０３）が記録されているとする。また、静止画（１５０１）には各静止画を識別するためのＩＤが付されているとする。まず、目線検出プログラム（１５０２）と所定条件（１５０３）がメインメモリに展開される（１５０４）。また、静止画（１５０１）は、順次、ＶＲＡＭを介して（１５０５）、ディスプレイにスライドショー表示されていく（１５０６）。スライドショー表示中は、ディスプレイ（目線検出用のカメラ）から目線検出の情報が随時出力されるが、この目線に関する情報が目線検出プログラムによって所定条件と比較された結果、目線が離脱したと判断された場合にはこの時に表示している静止画（１５０８）のＩＤ（ここでは‘３’）をメインメモリに格納しておく（１５０７）。また、この後も目線が離脱した状態が続く場合には、その間に表示した静止画のＩＤをすべてメインメモリに格納しておいてもよい。そして、この後もディスプレイ（目線検出用のカメラ）によって目線検出が継続され、検出された目線が目線検出プログラムによって所定条件と比較された結果、一旦離脱した目線が復帰したと判断された場合には、メインメモリに格納しておいた静止画のＩＤ‘３’を読み出し、ＩＤが‘３’の静止画から再度スライドショー表示を行なうことができる。
【００３７】
（実施形態３：処理の流れ）図１６は、本実施形態に係るスライドショー装置において、一旦離脱した目線が復帰した場合における処理の流れを示すフロー図を例示する。
【００３８】
最初に、静止画をスライドショーによって表示する（Ｓ１６０１）。次に、スライドショーを閲覧している人の目線を検出する（Ｓ１６０２）。次に、静止画を注視しているかの判断を行なう（Ｓ１６０３）。この判断は、検出された目線が条件保持部に保持されている条件を満たしているか否かによって行なわれる。ここでの判断結果が静止画を注視しているとの判断であった場合には、ステップＳ１６０２に戻り、目線の検出を繰り返す。ここでの判断結果が静止画を注視していないとの判断であった場合には、静止画の切り換えを行なう（Ｓ１６０４）。次に、目線の離脱が継続しているか判断する（Ｓ１６０５）。目線の離脱が継続している場合には、表示している静止画のＩＤを取得して（Ｓ１６０６）、ステップＳ１６０４に戻る。目線の離脱が継続していない場合、すなわち目線が復帰した場合には取得しておいたＩＤの静止画を表示する（Ｓ１６０７）。最後に、処理を終了するか否かを判断し（Ｓ１６０８）、終了しない場合にはステップＳ１６０１に戻る。
【００３９】
（実施形態３：効果）本実施形態に係るスライドショー装置によれば、閲覧者が席を外す等して途中からスライドショーを見逃してしまうような場合であっても、自動的に閲覧し損ねた静止画から順次、見直すことができる。
【図面の簡単な説明】
【００４０】
【図１】本発明に係るスライドショー装置の概念図
【図２】実施形態１に係るスライドショー装置の機能ブロック図
【図３】目線検出方法の一例図
【図４】所定条件の一例図
【図５】スライドショー装置のハードウェア上における処理の一例図
【図６】実施形態１に係るスライドショー装置の処理の流れを示すフロー図
【図７】実施形態２に係るスライドショー装置の機能ブロック図
【図８】注視時間閾値の一例図
【図９】注視時間閾値が変更される場合のハードウェア上における処理の具体例
【図１０】実施形態２に係るスライドショー装置において注視時間閾値が変更される際の処理の流れを示すフロー図
【図１１】実施形態２に係るスライドショー装置の処理の流れを示すフロー図
【図１２】実施形態３に係るスライドショー装置の機能ブロック図
【図１３】再表示制御手段によって静止画を再表示する場合の一例図
【図１４】所定条件の一例図
【図１５】再表示制御手段のハードウェア上における処理の一例図
【図１６】実施形態３に係るスライドショー装置において一旦離脱した目線が復帰した場合における処理の流れを示すフロー図
【符号の説明】
【００４１】
０１０１ａ  静止画
０１０１ｂ  静止画
０１０２    スライドショーを閲覧している人
０１０３ａ  ディスプレイ外の領域
０１０３ｂ  ディスプレイ外の領域
【図１】
2008219286.tif 000003
【図２】
2008219286.tif 000004
【図３】
2008219286.tif 000005
【図４】
2008219286.tif 000006
【図５】
2008219286.tif 000007
【図６】
2008219286.tif 000008
【図７】
2008219286.tif 000009
【図８】
2008219286.tif 000010
【図９】
2008219286.tif 000011
【図１０】
2008219286.tif 000012
【図１１】
2008219286.tif 000013
【図１２】
2008219286.tif 000014
【図１３】
2008219286.tif 000015
【図１４】
2008219286.tif 000016
【図１５】
2008219286.tif 000017
【図１６】
2008219286.tif 000018